(57)【要約】【課題】映像を表示できなくなった場合であっても、ユーザがコンテンツの内容を理解することを補助することができる動画再生装置を提供する。【解決手段】少なくとも音声データを含むコンテンツデータを保持するデータ受信部１１と、コンテンツデータに映像データが含まれているか否かを判定する判定部１５と、コンテンツデータに映像データが含まれている場合、映像データに基づく画像データと映像データに対応する音声データとを対応させて記録するデータベース１４と、コンテンツデータに映像データが含まれていない場合、データベース１４を参照し、データ受信部１１に保持された音声データに対応する映像データを補うための補間映像データを生成する補間映像生成部１６と、コンテンツデータに映像データが含まれていない場合、補間映像データを映像データとして対応する音声データとともに出力する出力部１７、１８とを有する構成とした。【選択図】  図１
2008294722.tif 000002
【特許請求の範囲】
【請求項１】
少なくとも音声データを含むコンテンツデータを保持するデータ保持部と、
前記コンテンツデータに映像データが含まれているか否かを判定する判定部と、
前記コンテンツデータに映像データが含まれている場合、前記データ保持部に保持された前記映像データに基づく画像データと前記映像データに対応する前記音声データとを対応させて記録する映像音声記録部と、
前記コンテンツデータに映像データが含まれていない場合、前記映像音声記録部を参照し、前記データ保持部に保持された前記音声データに対応する前記映像データを補うための補間映像データを生成する補間映像生成部と、
前記コンテンツデータに映像データが含まれていない場合、前記補間映像データを前記映像データとして対応する音声データとともに出力する出力部と、
を有する動画再生装置。
【請求項２】
請求項１に記載の動画再生装置であって、更に、
前記コンテンツデータを受信するデータ受信部を有する動画再生装置。
【請求項３】
請求項１または２に記載の動画再生装置であって、
前記映像音声記録部は、前記コンテンツデータに前記映像データが含まれている場合、前記画像データおよび前記音声データを、前記映像データおよび前記音声データに基づいて第１のデータ区分毎に分類し、前記音声データの示す音声の音量および周波数の少なくとも一方に基づいて前記第１のデータ区分における第２のデータ区分毎に分類し、記録する動画再生装置。
【請求項４】
請求項３に記載の動画再生装置であって、更に、
前記音声データに対応する人物の映像データを前記映像データから抽出する人物抽出部を有し、
前記映像音声記録部は、前記人物抽出部によって前記人物の映像データが抽出された場合、前記人物の画像データおよび前記人物の音声データを、前記人物の映像データおよび前記人物の音声データに基づいて人物毎に分類し、前記人物の音声データの示す音声の音量および周波数の少なくとも一方に基づいて前記人物における特徴毎に分類し、記録する動画再生装置。
【請求項５】
請求項４に記載の動画再生装置であって、
前記映像音声記録部は、前記人物抽出部によって前記人物の映像データが抽出されなかった場合、前記画像データおよび前記音声データを、前記人物のデータを代替するための代替画像データ区分として分類し、前記音声データの示す音声の音量および周波数の少なくとも一方に基づいて前記代替画像データにおける特徴毎に分類し、記録する動画再生装置。
【請求項６】
請求項３ないし５のいずれか１項に記載の動画再生装置であって、
前記補間映像生成部は、前記コンテンツデータに前記映像データが含まれない場合、前記音声データに基づいて前記第１のデータ区分および前記第２のデータ区分を特定し、前記映像音声記録部における前記第２のデータ区分に記録された画像データに基づいて前記補間映像データを生成する動画再生装置。
【請求項７】
請求項６に記載の動画再生装置であって、更に、
前記コンテンツデータに含まれる音声データと前記映像音声記録部の前記第１のデータ区分毎に記録された音声データを平均化した平均化音声データとを比較し、前記音声データの音声を発する人物を特定する人物特定部を有し、
前記補間映像生成部は、前記人物特定部によって人物が特定された場合、前記人物の音声データの示す音声の音量および周波数の少なくとも一方に基づいて前記人物における特徴を特定し、前記映像音声記録部において前記人物における特徴毎に記録された人物の画像データに基づいて前記補間映像データを生成する動画再生装置。
【請求項８】
請求項７に記載の動画再生装置であって、
前記補間映像生成部は、前記人物特定部によって前記人物が特定されなかった場合、前記音声データの示す音声の音量および周波数の少なくとも一方に基づいて前記代替画像データにおける特徴を特定し、前記映像音声記録部において前記代替画像データにおける特徴毎に記録された画像データに基づいて前記補間映像データを生成する動画再生装置。
【請求項９】
請求項６ないし８のいずれか１項に記載の動画再生装置であって、
前記補間映像生成部は、前記画像データに対応する音声データの音声の音量および周波数の少なくとも一方に基づいて前記画像データを加工し、前記補間映像データを生成する動画再生装置。
【請求項１０】
請求項１ないし９のいずれか１項に記載の動画再生装置であって、
前記映像データおよび前記音声データは、デジタルテレビ放送の映像データおよびデジタルテレビ放送の音声データである動画再生装置。
【請求項１１】
動画を再生するための動画再生方法であって、
動画再生装置において、
前記コンテンツデータに映像データが含まれているか否かを判定する判定ステップと、
前記コンテンツデータに映像データが含まれている場合、前記映像データに基づく画像データと前記映像データに対応する前記音声データとを対応させて記録する映像音声記録ステップと、
前記コンテンツデータに映像データが含まれていない場合、前記映像音声記録ステップにおいて記録された情報を参照し、前記音声データに対応する前記映像データを補うための補間映像データを生成するステップと、
前記コンテンツデータに映像データが含まれていない場合、前記補間映像データを前記映像データとして対応する音声データとともに出力するステップと
を有する動画再生方法。
【発明の詳細な説明】
【技術分野】
【０００１】
本発明は、動画再生装置および動画再生方法に関し、特に、デジタルテレビ放送や動画ストリーミング受信中に受信環境の影響等によりデータが欠落もしくは遅延して映像が表示できなくなった場合に、音声だけでなく補間映像を表示し、ユーザがコンテンツの内容を理解することを補助することができる動画再生装置および動画再生方法に関する。
【背景技術】
【０００２】
デジタルテレビ、ワンセグなどネットワークを介して動画データ及び広告データなどを配信するデータ配信システムにおいて、受信状況が悪いときに音声データのみを受信し、映像データを受信できない場合がある。この場合、音声データのみ再生する、あるいは代替画像を挿入するものが知られている。
【０００３】
例えば、動画配信中、回線品質が劣化した場合に付加データ（コンテンツのダイジェスト、広告、ドラマ予告等）を代替映像として再生するものがある（例えば、特許文献１参照）。また、デジタルテレビ放送のデジタルデータの受信中に映像の表示が中断されたときに、音声のみを再生するものがある（例えば、特許文献２参照）。
【特許文献１】特願２００３−０３７９６４号公報
【特許文献２】特願２００３−４０４５６２号公報
【発明の開示】
【発明が解決しようとする課題】
【０００４】
しかしながら、特許文献１に記載された従来技術の代替画像では別コンテンツの映像を表示して紛らわせる効果しかなく、ストーリー自体は中断されてしまう。また、特許文献２に記載された従来技術では音声出力のみとなり、映像は表示されないためユーザの利便性が損なわれる。
【０００５】
本発明は、上記従来の事情に鑑みてなされたものであって、映像を表示できなくなった場合であっても、ユーザがコンテンツの内容を理解することを補助することができる動画再生装置および動画再生方法を提供することを目的としている。
【課題を解決するための手段】
【０００６】
上記目的を達成するために、本発明の第１の動画再生装置は、少なくとも音声データを含むコンテンツデータを保持するデータ保持部と、前記コンテンツデータに映像データが含まれているか否かを判定する判定部と、前記コンテンツデータに映像データが含まれている場合、前記データ保持部に保持された前記映像データに基づく画像データと前記映像データに対応する前記音声データとを対応させて記録する映像音声記録部と、前記コンテンツデータに映像データが含まれていない場合、前記映像音声記録部を参照し、前記データ保持部に保持された前記音声データに対応する前記映像データを補うための補間映像データを生成する補間映像生成部と、前記コンテンツデータに映像データが含まれていない場合、前記補間映像データを前記映像データとして対応する音声データとともに出力する出力部と、を有する構成としている。
【０００７】
この構成により、映像データが欠落して映像を表示できない場合であっても、コンテンツに含まれる音声と直前までコンテンツに含まれていた映像を元に補間映像を生成し、音声とともにその補間映像を表示することにより、ユーザがコンテンツの内容を理解することを補助することができる。
【０００８】
また、本発明の第２の動画再生装置は、前記コンテンツデータを受信するデータ受信部を有する。
【０００９】
これによれば、デジタルテレビ放送や動画ストリーミング受信中に受信環境の影響等によりデータが欠落もしくは遅延して映像が表示できなくなった場合に、ユーザがコンテンツの内容を理解することを補助することができる。
【００１０】
また、本発明の第３の動画再生装置は、前記映像音声記録部が、前記コンテンツデータに前記映像データが含まれている場合、前記画像データおよび前記音声データを、前記映像データおよび前記音声データに基づいて第１のデータ区分毎に分類し、前記音声データの示す音声の音量および周波数の少なくとも一方に基づいて前記第１のデータ区分における第２のデータ区分毎に分類し、記録する構成としている。
【００１１】
この構成により、映像に基づく画像データと映像に対応する音声データとを関連付けて保存するので、音声データに対応する適切な補間映像データを必要時に生成することができるようになる。
【００１２】
また、本発明の第４の動画再生装置は、更に、前記音声データに対応する人物の映像データを前記映像データから抽出する人物抽出部を有し、前記映像音声記録部が、前記人物抽出部によって前記人物の映像データが抽出された場合、前記人物の画像データおよび前記人物の音声データを、前記人物の映像データおよび前記人物の音声データに基づいて人物毎に分類し、前記人物の音声データの示す音声の音量および周波数の少なくとも一方に基づいて前記人物における特徴毎に分類し、記録する構成としている。
【００１３】
この構成により、例えば唇が動作している人物（発話者）を抽出し、抽出された人物の音声データの音量や周波数などの特徴によってデータを分類するので、発話者の発話時の感情（通常、楽しい、悲しい、怒り等）毎に画像サンプルと音声サンプルを保存することができる。したがって、音声データに対応する適切な補間映像データを必要時に生成することができるようになる。
【００１４】
また、本発明の第５の動画再生装置は、前記映像音声記録部が、前記人物抽出部によって前記人物の映像データが抽出されなかった場合、前記画像データおよび前記音声データを、前記人物のデータを代替するための代替画像データ区分として分類し、前記音声データの示す音声の音量および周波数の少なくとも一方に基づいて前記代替画像データにおける特徴毎に分類し、記録する構成としている。
【００１５】
この構成により、例えば唇が動作している人物（発話者）を抽出できないため発話者が存在しないと判断された場合、代替画像データとして音声データの音量や周波数などの特徴によってデータを分類するので、代替画像の特徴（音楽、騒音、無音等）毎に画像サンプルと音声サンプルを保存することができる。したがって、音声データに対応する適切な補間映像データを必要時に生成することができるようになる。
【００１６】
また、本発明の第６の動画再生装置は、前記補間映像生成部が、前記コンテンツデータに前記映像データが含まれない場合、前記音声データに基づいて前記第１のデータ区分および前記第２のデータ区分を特定し、前記映像音声記録部における前記第２のデータ区分に記録された画像データに基づいて前記補間映像データを生成する構成としている。
【００１７】
この構成により、映像データが中断したときに、音声データの特徴によって最適な画像データを選択し、補間映像データとして音声データと同期させて出力することができ、ユーザがコンテンツの内容を理解することを補助することができる。
【００１８】
また、本発明の第７の動画再生装置は、前記コンテンツデータに含まれる音声データと前記映像音声記録部の前記第１のデータ区分毎に記録された音声データを平均化した平均化音声データとを比較し、前記音声データの音声を発する人物を特定する人物特定部を有し、前記補間映像生成部が、前記人物特定部によって人物が特定された場合、前記人物の音声データの示す音声の音量および周波数の少なくとも一方に基づいて前記人物における特徴を特定し、前記映像音声記録部において前記人物における特徴毎に記録された人物の画像データに基づいて前記補間映像データを生成する構成としている。
【００１９】
この構成により、映像音声記録部に記録された人物毎の音声サンプルの平均値と音声データとに基づいて発話者を抽出でき、さらに音声データの特徴解析によって発話者の感情を分析して最適な画像データを選択し、補間映像データとして利用することができるため、ユーザがコンテンツの内容を理解することを補助することができる。
【００２０】
また、本発明の第８の動画再生装置は、前記補間映像生成部が、前記人物特定部によって前記人物が特定されなかった場合、前記音声データの示す音声の音量および周波数の少なくとも一方に基づいて前記代替画像データにおける特徴を特定し、前記映像音声記録部において前記代替画像データにおける特徴毎に記録された画像データに基づいて前記補間映像データを生成する構成としている。
【００２１】
この構成により、発話者が存在しない場合、音声データの特徴解析によって代替画像の特徴を分析して最適な画像データを選択し、補間映像データとして利用することができるため、ユーザがコンテンツの内容を理解することを補助することができる。
【００２２】
また、本発明の第９の動画再生装置は、前記補間映像生成部が、前記画像データに対応する音声データの音声の音量および周波数の少なくとも一方に基づいて前記画像データを加工し、前記補間映像データを生成する構成としている。
【００２３】
この構成により、例えば音声データの解析結果に基づいて補間映像データに利用する画像データのズームインやズームアウトを行うことができ、音声を発する人物や音声の特徴に基づいて画像データの加工を行うことができるため、ユーザがコンテンツの内容を理解することがさらに容易になる。
【００２４】
また、本発明の第１０の動画再生装置は、前記映像データおよび前記音声データが、デジタルテレビ放送の映像データおよびデジタルテレビ放送の音声データである構成としている。
【００２５】
この構成により、デジタルテレビ放送の映像データが欠落して映像が表示できなくなった場合であっても、ユーザがコンテンツの内容を理解することを補助することができる。
【００２６】
また、本発明の第１の動画再生方法は、動画を再生するための動画再生方法であって、動画再生装置において、前記コンテンツデータに映像データが含まれているか否かを判定する判定ステップと、前記コンテンツデータに映像データが含まれている場合、前記映像データに基づく画像データと前記映像データに対応する前記音声データとを対応させて記録する映像音声記録ステップと、前記コンテンツデータに映像データが含まれていない場合、前記映像音声記録ステップにおいて記録された情報を参照し、前記音声データに対応する前記映像データを補うための補間映像データを生成するステップと、前記コンテンツデータに映像データが含まれていない場合、前記補間映像データを前記映像データとして対応する音声データとともに出力するステップとを有する方法としている。
【００２７】
この方法により、映像データが欠落して映像を表示できない場合であっても、コンテンツに含まれる音声と直前までコンテンツに含まれていた映像を元に補間映像を生成し、音声とともにその補間映像を表示することにより、ユーザがコンテンツの内容を理解することを補助することができる。
【発明の効果】
【００２８】
本発明にかかる動画再生装置および動画再生方法によれば、音声データに対応して映像データを補うための補間映像データを生成し、コンテンツデータに映像データが含まれていない場合、補間映像データを対応する音声データとともに出力するので、映像データが欠落して映像が表示できなくなった場合に、音声だけでなく補間映像データを表示して、ユーザがコンテンツの内容を理解することを補助することができる。
【００２９】
また、デジタルテレビ放送または動画ストリーミング受信中に、受信環境の影響により映像データが欠落もしくは遅延して映像が表示できなくなった場合に、音声データと直前までに受信した映像データとに基づいて補間映像データを生成するので、受信状況が悪化しても映像の表示を中断することなく、ユーザがコンテンツデータの内容を理解することを補助することができる。
【発明を実施するための最良の形態】
【００３０】
以下、本発明の実施形態における動画再生装置および動画再生方法について、図面を用いて説明する。
【００３１】
図１は、本発明の実施形態にかかる動画再生装置１００の構成の一例を示すブロック図である。デジタルテレビ、ワンセグなど放送ネットワークを介して映像データおよび音声データなどを配信するデータ配信システムや、ストリーミング配信など通信ネットワークを介して映像データおよび音声データを配信するデータ配信システムにおいて、放送局やストリーミングサービス提供者などが保持するコンテンツサーバ２００は、パケット単位で音声・映像が多重化されているコンテンツデータを送信する。
【００３２】
動画再生装置１００は、データ受信部１１、データ分離部１２、データベース生成部１３、映像音声関連データベース１４Ａ、代替画像関連データベース１４Ｂ、判定部１５、補間映像生成部１６、映像表示部１７、および音声出力部１８を有する。
【００３３】
データ受信部１１は、コンテンツサーバ２００から送信されるコンテンツデータを受信し、コンテンツデータを保持する。尚、データ受信部１１は「データ保持部」としての機能を有する。
【００３４】
データ分離部１２は、パケット単位で音声・映像が多重化されている（ただし、音声データのみの場合もある）コンテンツデータを音声データと映像データに分離する。コンテンツデータに映像データが含まれない場合は、単に音声データのみを取り出す。尚、ここでは、「音声データ」には、人物が発話する音声データの他に、人物以外のものから発せられる音や音楽のデータも含むものとする。
【００３５】
データベース生成部１３は、映像音声関連データベース１４Ａおよび代替画像関連データベース１４Ｂの生成および更新処理を行う。尚、データベース生成部１３は「人物抽出部」としての機能を有する。
【００３６】
映像音声関連データベース１４Ａは、コンテンツデータに映像データが含まれており、かつ、コンテンツデータに含まれる音声データを発話している人物を特定できる場合に、コンテンツデータに含まれる特定された人物の映像データとその人物が発話する音声データとを関連付けて記録する。
【００３７】
代替画像関連データベース１４Ｂは、コンテンツデータに映像データが含まれており、かつ、コンテンツデータに含まれる音声データを発話している人物を特定できない場合に、あらかじめ用意された代替画像とコンテンツデータに含まれるその代替画像に対応させる音声データとを関連付けて記録する。
【００３８】
尚、映像音声関連データベース１４Ａおよび代替画像関連データベース１４Ｂは「映像音声記録部」としての機能を有する。
【００３９】
判定部１５は、コンテンツデータに映像データが含まれているか否かを判定する。
【００４０】
補間映像生成部１６は、コンテンツデータに映像データが含まれていない場合、映像音声関連データベース１４Ａまたは代替画像関連データベース１４Ｂを参照し、データベース１４に保持された音声データに対応する映像データを補うための補間映像データを生成する。尚、補間映像生成部１６は「人物特定部」としての機能を有する。
【００４１】
映像表示部１７は、映像データや補間映像データをもとに映像を出力する。
【００４２】
音声出力部１８は、音声データをもとに音声を出力する。
【００４３】
尚、映像表示部１７および音声出力部１８は「出力部」としての機能を有する。
【００４４】
次に、映像音声関連データベース１４Ａについて詳細に説明する。
図２は、映像音声関連データベース１４Ａの一例を示した図である。映像音声関連データベース１４Ａはデータベース生成部１３によって生成される。
【００４５】
映像音声関連データベース１４Ａには、音声認証、または音量や音声から抽出した感情等の特徴によって、通常受信中（音声データと映像データとを含むコンテンツデータを正常に受信しているとき）に人物が発話している音声データと、その際に唇が動作している人物画像とが関連付けられ、各人物ごとに人物画像が振り分けられて保存される。
【００４６】
たとえば、映像中に人物Ａ、人物Ｂ、人物Ｃが映っている場合に、音声の大小またはピッチから推定した喜怒哀楽などの感情が平均的な通常（ニュートラル）状態における人物Ａの画像と音声サンプル、人物Ｂの画像と音声サンプル、人物Ｃの画像と音声サンプルが分類される。同様に、音声の大小またはピッチから人物の感情が推定され、たとえば「楽しい」、「悲しい」、「怒り」等の特徴に区分され、それぞれ人物Ａの画像と音声サンプル、人物Ｂの画像と音声サンプル、人物Ｃの画像と音声サンプルが振り分けられて保存される。
【００４７】
この場合、同一の感情に区分される画像であっても、より感情の特徴がでている画像が補間映像生成時に使用されるよう、優先順位（スコア）がつけられる。なお、映像音声関連データベース１４Ａの容量が限定されている場合は、より特徴的な画像と音声サンプル、またはより新しく記録された画像と音声サンプルが優先され、優先度の低い画像と音声サンプルが映像音声関連データベース１４Ａから削除される。
【００４８】
映像音声関連データベース１４Ａを備えることで、音声データと唇が動作している人物の画像データを関連付けて保存するので、音声データに対応する適切な補間映像データを生成することができる。また、各人物の画像データを、音声データの音量または音声データから抽出した特徴によって分類して保存するので、音声データに対応する適切な補間映像データを生成することができる。
【００４９】
次に、代替画像関連データベース１４Ｂについて詳細に説明する。
図３は、代替画像関連データベース１４Ｂの一例を示した図である。代替画像関連データベース１４Ｂはデータベース生成部１３によって生成される。
【００５０】
代替画像関連データベース１４Ｂには、例えば、映像と共にBGM等の音楽が流れる場合に対応させるための風景画像と音楽サンプル、映像中の人物の会話が聞き取れない場合を連想させるような駅の改札口の画像と雑音サンプル、映像中の人物が発声しない場合などに対応させるための植物の画像などが分類されて保存される。また、図示はしないが、例えば映像中に人物が存在しないナレーションに対応させるための画像が保存されてもよい。保存された画像（代替画像）は補間映像が生成される際に補間映像として利用される。
【００５１】
代替画像関連データベース１４Ｂを備えることで、映像と共に音楽が流れる場合、映像中の人物の会話が聞き取れない場合、または映像中の人物が発声しない場合等に対応する代替画像候補を有するので、例えば、映像データが欠落もしくは遅延して表示できなくなったときに、コンテンツデータに含まれる音声データから人物の音声を抽出することが難しい場合であっても、補間映像を生成して表示することができる。
【００５２】
次に、動画再生装置１００の動作について詳細に説明する。
図４は、動画再生装置１００の動作（全体処理フロー）の一例を示したフローチャートである。
【００５３】
データ受信部１１が、コンテンツサーバ２００からコンテンツデータを受信すると（ステップＳ１１）、データ分離部１２は、パケット単位で音声・映像が多重化されている（ただし、音声データのみの場合もある）コンテンツデータを音声データと映像データに分離する（ステップＳ１２）。
【００５４】
判定部１５は、映像データの表示が可能かどうか、つまりコンテンツデータに映像データが含まれているか否かを判断する（ステップＳ１３）。映像データの表示が可能な場合（ＹＥＳ）は、データベース生成部１３が映像音声関連データベース１４Ａもしくは代替画像関連データベース１４Ｂを構築し（ステップＳ１４）、映像表示部１７が通常の映像（コンテンツデータに含まれる映像データ）を表示するとともに（ステップＳ１５）、音声出力部１８が音声を出力する（ステップＳ１８）。
【００５５】
一方、ステップＳ１３において、判定部１５が映像データの表示が可能でないと判定した場合（ＮＯ）は、補間映像生成部１６は補間映像を生成し（ステップＳ１６）、映像表示部１７が補間映像を表示するとともに（ステップＳ１７）、音声出力部１８が音声を出力する（ステップＳ１８）。例えば、映像データが中断したときに、映像音声関連データベース１４Ａから音声データの発話者及び音声の特徴によって最適な補間画像が選択され、補間映像として音声と同期して出力される。
【００５６】
そして、図示しない制御部によってデータ受信部１１による受信を終了するかどうかを判断し（ステップＳ１９）、受信を終了しない場合（ＮＯ）は、ステップＳ１１に戻る。受信を終了するか否かは、例えば受信可能なコンテンツデータが残っているか否かを判断する。
【００５７】
このような動画再生装置１００の動作によれば、音声データに対応して映像データを補うための補間映像データを生成し、再生候補データに映像データが含まれていない場合、補間映像データを対応する音声データとともに出力するので、映像データが欠落して映像が表示できなくなった場合に、音声だけでなく補間映像データを表示して、ユーザがコンテンツの内容を理解することを補助することができる。
【００５８】
次に、動画再生装置がデータベース１４を構築する際（ステップＳ１４）の動作について、さらに詳細に説明する。図５は、動画再生装置１００がデータベース１４を構築する処理の一例を示したフローチャートである。尚、ここでは、映像音声関連データベース１４Ａと代替画像関連データベース１４Ｂとをまとめて説明する際にはデータベース１４として説明する。
【００５９】
データベース１４を構築するには、まず、データベース生成部１３は、映像データにおける映像中の顔を検出し（ステップＳ２１）、唇の動作を検出する（ステップＳ２２）ことによって、発話者を特定する（ステップＳ２３）。たとえば、映像音声関連データベース１４Ａを参照する場合は、人物Ａ、人物Ｂ、人物Ｃを特定する。
【００６０】
次いで、データベース生成部１３は、発話者が存在するかどうか、つまりステップＳ２３で発話者を特定できたかどうかを判断し（ステップＳ２４）、発話者が存在すると判断した場合（ＹＥＳ）には、映像データから発話者の顔画像を抽出するとともに（ステップＳ２５）、顔画像に対応する音声データから所定時間分の音声サンプルデータを抽出する（ステップＳ２７）。
【００６１】
一方、ステップＳ２４において、発話者が存在しないと判断した場合（ＮＯ）には、データベース生成部１３は、映像データから代替画像候補を抽出し（ステップＳ２６）、音声データから音声サンプルデータを抽出する（ステップＳ２７）。
【００６２】
この発話者の顔画像および音声サンプルデータに基づいて、映像音声関連データベース１４Ａの人物を特定することができ、また、顔画像を抽出できない場合には、代替画像関連データベース１４Ｂの代替画像であると特定することできる。
【００６３】
そして、データベース生成部１３は、音声等の大小やピッチ等に基づいて、映像中の人物の特徴、例えば映像音声関連データベース１４Ａの「楽しい、悲しい、怒り」などの特徴や、映像中の音の特徴、例えば代替画像関連データベース１４Ｂの「音楽、騒音、無音」などの特徴を抽出し（ステップＳ２８）、映像音声関連データベース１４Ａまたは代替画像関連データベース１４Ｂに保存された画像と音声サンプルを更新する（ステップＳ２９）。この更新処理は、データ受信部１１によって同一のコンテンツデータが受信されている間、所定の期間毎に実施される。
【００６４】
このように動画再生装置１００が映像音声関連データベース１４Ａを構築することによって、音声データと、唇が動作している人物の画像データを関連付けて保存するので、音声データに対応する適切な補間映像データを生成することができる。また、各人物の画像データを、音声データの音量または音声データから抽出した特徴によって分類して保存するので、音声データに対応する適切な補間映像データを生成することができる。また、代替画像関連データベース１４Ｂを構築することによって、各人物以外の画像データを、音データの音量または音データから抽出した特徴によって分類して保存するので、音データに対応する適切な補間映像データを生成することができる。さらに、データベース１４は所定期間毎に更新されるので、コンテンツデータにおける最新の情報を反映したデータベース１４を構築することができる。
【００６５】
次に、動画再生装置１００が補間映像を生成する際（ステップＳ１６）の動作について、さらに詳細に説明する。図６は、動画再生装置１００が補間映像を生成する処理の一例を示したフローチャートである。
【００６６】
補間映像を生成するために、補間映像生成部１６は、音声認証、音声データの音量または音声データから抽出した特徴から発話者を特定し（ステップＳ３１）、映像音声関連データベース１４に対応する発話者が存在するかどうか判断する（ステップＳ３２）。例えば、各感情「通常、楽しい、悲しい、怒り」における人物毎の音声サンプルを平均化し、平均化された音声サンプルの人物に対応する発話者が存在するか否かを判断する。また、平均化された音声サンプルとして、映像音声関連データベース１４Ａに記録された人物毎の通常（ニュートラル）時の音声サンプルを用いてもよい。
【００６７】
発話者が存在すると判断した場合（ＹＥＳ）には、補間映像生成部１６は、音声データの特徴を解析し（ステップＳ３３）、解析結果に基づいて発話者の画像を補間画像として選択するとともに（ステップＳ３４）、補間映像を加工し（ステップＳ３７）、処理を終了する。補間映像の具体的な加工方法については後述する。音声データの特徴解析の方法として、例えばステップＳ２８において説明した方法がある。
【００６８】
一方、ステップＳ３２において、発話者が存在しないと判断した場合（ＮＯ）には、補間映像生成部１６は、音声データの特徴を解析し（ステップＳ３５）、代替画像関連データベース１４Ｂから「音楽」等に分類された代替画像を補間画像として選択するとともに（ステップＳ３６）、補間映像を加工し（ステップＳ３７）、処理を終了する。
【００６９】
次に、動画再生装置１００が補間映像を加工する際（ステップＳ３７）の動作について、詳細に説明する。図７は、動画再生装置１００が補間映像を加工する際の加工方法の一例を示した図である。
【００７０】
例えば、図７（ａ）に示すように、補間映像生成部１６が選択した発話者画像を、映像表示部１７がそのまま一定時間表示する。これはその発話者が同じ特徴（たとえば「楽しい」）で発音を続けている場合に有効である。
【００７１】
図７（ｂ）は、補間映像生成部１６が顔画像をモーフィング（目や口の変形）させて、喋っているように見せる例である。これにより補間映像が実際の映像に近くなり映像の展開をスムーズにすることができる。
【００７２】
図７（ｃ）は、補間画像生成部１６が音声データにおける音量に合わせて、顔画像のズームイン／アウトを行う例である。たとえば、音量小でズームアウト、音量大でズームインすることにより、人物の感情に合わせて補間映像を出力することができる。
【００７３】
以上説明したような動画再生装置１００について、実際に動画再生装置１００を利用する際の実施イメージを説明する。図８は、動画再生装置１００が各種処理を行う際の実施イメージを示す図である。
【００７４】
動画再生装置１００は、例えば、映像表示部１７によって表示された通常再生時の映像に人物８１〜８３が三人映っており、そのうちの発話者８１が発声している場合に、発話者８１の顔画像と音声サンプルを映像音声関連データベース１４Ａに、発話者８１と対応させて分類する。
【００７５】
そして、データ受信部１１によるコンテンツデータの受信中に、映像データが中断し音声データが再生可能な場合に、発話者８１の音声に対応させて発話者８１の補間映像を表示することができる。この場合、発話者８１の顔画像をアップして表示したり、音量や感情等によって顔画像を選択したりすることができる。また、音声に応じたカメラワーク、たとえばパン（ズーム）などにより補間映像を加工することにより、補間映像を実際の映像に近づけることができる。
【００７６】
このような動画再生装置１００によれば、音声データに対応して映像データを補うための補間映像データを生成し、再生候補データに映像データが含まれていない場合、補間映像データを対応する音声データとともに出力するので、映像データが欠落して映像が表示できなくなった場合に、音声だけでなく補間映像データを表示して、ユーザがコンテンツの内容を理解することを補助することができる。
【００７７】
また、デジタルテレビ放送または動画ストリーミング受信中に、受信環境の影響により映像データが欠落もしくは遅延して映像が表示できなくなった場合に、音声データと直前までに受信した映像データとから、補間映像データを生成するので、受信状況が悪化しても映像の表示を中断することなく、ユーザがコンテンツデータの内容を理解することを補助することができる。
【００７８】
なお、本発明の実施の形態において、映像音声関連データベース１４Ａ、または代替画像関連データベース１４Ｂに記録される画像および音声サンプルデータは、データ受信部１１により受信したコンテンツデータから抽出すると説明したが、これに限るものではなく、予め放送局やストリーミングサービス提供者側で準備した画像（各感情に対応する人物画像、風景画像など）や音声サンプルデータをコンテンツサーバ２００から視聴開始前、または視聴開始時（チャンネル選択時など）に自動的に取得し、映像音声関連データベース１４Ａ、または代替画像関連データベース１４Ｂに記録しておいてもよい。
【００７９】
これにより、映像データが欠落もしくは遅延して映像が表示できなくなった場合に、コンテンツデータの配信元が意図した補間映像データを表示させることができる。また、視聴開始直後に映像データが欠落もしくは遅延して映像が表示できなくなった場合であっても、映像音声関連データベース１４Ａ、または代替画像関連データベース１４Ｂに予め記録された音声サンプルデータを用いて、コンテンツデータに含まれる音声データとの比較をすることができ、視聴開始直後から最適な補間映像データを表示することができる。
【００８０】
また、以前視聴したコンテンツデータで作成した映像音声関連データベース、代替画像関連データベースを利用してもよい。例えば、毎週放送される番組に対して、視聴開始時に先週分の映像音声関連データベース、代替画像関連データベースを映像音声関連データベース１４Ａ、または代替画像関連データベース１４Ｂに記録することで、視聴開始直後に映像データが欠落した場合でも、補間映像データを表示することができる。
【００８１】
なお、デジタルテレビ放送やストリーミング配信などの映像と音声とを含むコンテンツデータを受信する動画再生装置について説明したが、これに限られるものではなく、デジタルラジオ放送といった音声のみのコンテンツデータを受信する動画再生装置であってもよい。例えば、映像音声関連データベース１４Ａ、または代替画像関連データベース１４Ｂに過去に記録された画像および音声サンプルデータを用いて、デジタルラジオ放送で受信した音声データとの比較を行い、補間映像データを生成する。
【００８２】
これにより、音声のみのコンテンツデータから補間映像データを生成して表示することができ、ユーザに対して音声だけでなく視覚的な情報も同時に提供することでコンテンツの内容を理解することを補助することができる。
【産業上の利用可能性】
【００８３】
本発明は、デジタルテレビ放送や動画ストリーミング受信中に受信環境の影響等によりデータが欠落もしくは遅延して映像が表示できなくなった場合に、音声だけでなく補間映像を表示し、ユーザがコンテンツの内容を理解することを補助することができる動画再生装置等として利用可能である。
【図面の簡単な説明】
【００８４】
【図１】本発明の実施形態にかかる動画再生装置の構成の一例を示したブロック図
【図２】本発明の実施形態にかかる映像音声関連データベースの一例を示した図
【図３】本発明の実施形態にかかる代替画像関連データベースの一例を示した図
【図４】本発明の実施形態にかかる動画再生装置の動作の一例を示したフローチャート
【図５】本発明の実施形態にかかる動画再生装置においてデータベースを構築する処理の一例を示したフローチャート
【図６】本発明の実施形態にかかる動画再生装置において補間映像を生成する処理の一例を示したフローチャート
【図７】本発明の実施形態にかかる動画再生装置において補間映像を加工する処理の一例を示した図
【図８】本発明の実施形態にかかる動画再生装置の実施イメージを示す図
【符号の説明】
【００８５】
１１  データ受信部
１２  データ分離部
１３  データベース生成部
１４Ａ  映像音声関連データベース
１４Ｂ  代替画像関連データベース
１５  判定部
１６  補間映像生成部
１７  映像表示部
１８  音声出力部
１００  動画再生装置
２００  コンテンツサーバ
【図１】
2008294722.tif 000003
【図２】
2008294722.tif 000004
【図４】
2008294722.tif 000005
【図５】
2008294722.tif 000006
【図６】
2008294722.tif 000007
【図７】
2008294722.tif 000008
【図８】
2008294722.tif 000009
【図３】
2008294722.tif 000010